(57)【特許請求の範囲】
【請求項１】
電動駐車ブレーキ機構の動作を指示する操作スイッチの操作を検出する操作検出手段と、
前記操作検出手段から検出される操作と前記操作スイッチの操作に対する前記電動駐車ブレーキ機構の動作とが異なるスイッチ故障を含む前記電動駐車ブレーキ機構の故障を検出する故障検出手段と、を有し、
車両状態が、前記車両を走行させるための通常モードである場合に前記故障検出手段により前記スイッチ故障が検出されるとき、第１の報知を行い、
前記車両状態が、前記通常モード以外の前記電動駐車ブレーキ機構のメンテナンス時のモードである場合に前記第１の報知とは異なる第２の報知を前記操作スイッチの操作の検出に拘わらず行うことを特徴とする駐車ブレーキ制御装置。
【請求項２】
前記第１の報知は、前記電動駐車ブレーキ機構の故障を報知する警告灯を点灯し、前記操作スイッチの操作が検出されたときに、前記電動駐車ブレーキ機構の作動状態を報知する作動灯を点滅させ、
前記第２の報知は、前記警告灯を点灯し、前記作動灯を点滅させることを特徴とする請求項１に記載の駐車ブレーキ制御装置。
【発明の詳細な説明】
【技術分野】
【０００１】
本発明は、自動車等の車両に好適に用いられる駐車ブレーキ制御装置に関する。
【背景技術】
【０００２】
自動車等の車両に設けられる電動駐車ブレーキは、運転者の操作スイッチの操作に基づいて、制動力（駐車ブレーキ）の付与（制動作動）と解除（制動解除）が行われる。特許文献１には、操作スイッチの故障を検出すると、運転者のスイッチ操作と電動モータの作動状態とが不一致のときに警告ランプを点灯させ、一致のときは警告ランプを消灯させる技術が記載されている。
【先行技術文献】
【特許文献】
【０００３】
【特許文献１】特開２０１０−１４３２７３号公報
【発明の概要】
【発明が解決しようとする課題】
【０００４】
特許文献１の技術によれば、操作スイッチが故障しているか否かを判断するためには、操作スイッチを操作する必要があり、電動駐車ブレーキのメンテナンス時に作業者の作業が増える。
【０００５】
本発明の目的は、メンテナンス時に作業者の作業を増やすことなく、操作スイッチの故障の判断を行うことができる駐車ブレーキ制御装置を提供することにある。
【課題を解決するための手段】
【０００６】
上述した課題を解決するため、本発明による駐車ブレーキ制御装置は、電動駐車ブレーキ機構の動作を指示する操作スイッチの操作を検出する操作検出手段と、前記操作検出手段から検出される操作と前記操作スイッチの操作に対する前記電動駐車ブレーキ機構の動作とが異なるスイッチ故障を含む前記電動駐車ブレーキ機構の故障を検出する故障検出手段と、を有し、車両状態が、前記車両を走行させるための通常モードである場合に前記故障検出手段により前記スイッチ故障が検出されるとき、第１の報知を行い、前記車両状態が、前記通常モード以外の前記電動駐車ブレーキ機構のメンテナンス時のモードである場合に前記第１の報知とは異なる第２の報知を前記操作スイッチの操作の検出に拘わらず行う。
【発明の効果】
【０００７】
本発明の駐車ブレーキ制御装置は、通常モードと他のモードとで異なる報知を行うため、メンテナンス時に作業者の作業を増やすことなく、操作スイッチの故障の判断を行うことができる。
【図面の簡単な説明】
【０００８】
【図１】実施形態による駐車ブレーキスイッチおよび駐車ブレーキ制御装置が搭載された車両の概念図。
【図２】不操作態様の駐車ブレーキスイッチおよび駐車ブレーキ制御装置を示す回路図。
【図３】制動作動態様の駐車ブレーキスイッチを示す回路図。
【図４】制動解除態様の駐車ブレーキスイッチを示す回路図。
【図５】図２中の駐車ブレーキ制御装置の判定部による制御処理を示す流れ図。
【図６】正常時および断線時における駐車ブレーキスイッチの操作態様と電圧との関係を一覧表として示す説明図。
【発明を実施するための形態】
【０００９】
以下、実施形態による駐車ブレーキ制御装置について、４輪自動車に搭載した場合を例に挙げ、添付図面に従って説明する。なお、図５に示す流れ図の各ステップは、それぞれ「Ｓ」という表記を用い、例えばステップ１を「Ｓ１」として示すものとする。
【００１０】
図１において、車両のボディを構成する車体１の下側（路面側）には、例えば左右の前輪２（ＦＬ，ＦＲ）と左右の後輪３（ＲＬ、ＲＲ）とからなる合計４個の車輪が設けられている。車輪（各前輪２、各後輪３）は、車体１と共に車両を構成する。車両には、制動力を付与するためのブレーキ装置（ブレーキシステム）が搭載されている。以下、車両のブレーキ装置について説明する。
【００１１】
前輪２および後輪３には、それぞれの車輪（各前輪２、各後輪３）と共に回転する回転部材（被制動部材）としてのディスクロータ４が設けられている。前輪２用のディスクロータ４は、液圧式のディスクブレーキである前輪側ディスクブレーキ５により制動力が付与される。後輪３用のディスクロータ４は、電動駐車ブレーキ機能付の液圧式のディスクブレーキである後輪側ディスクブレーキ６により制動力が付与される。これにより、各車輪（各前輪２、各後輪３）のそれぞれに対して相互に独立して制動力が付与される。
【００１２】
左右の後輪３に対応してそれぞれ設けられた一対（一組）の後輪側ディスクブレーキ６は、それぞれが電動駐車ブレーキ機構である。後輪側ディスクブレーキ６は、後述の駐車ブレーキ制御装置７１と共に電動ブレーキシステム（電動駐車ブレーキシステム）を構成している。後輪側ディスクブレーキ６は、例えば、ディスクロータ４に当接可能に配置される摩擦部材（制動部材）としての（一対の）ブレーキパッド（図示せず）と、該ブレーキパッドをブレーキペダル９の操作に基づいて押圧部材となるピストン６Ａで推進するキャリパ（ホイールシリンダ）６Ｂとを含んで構成されている。
【００１３】
さらに、後輪側ディスクブレーキ６には、ピストン６Ａを推進する電動モータ７と、電動モータ７により推進したピストン６Ａを保持する回転直動変換機構（例えば、スピンドルナット機構）等の押圧部材保持機構８とが設けられている。後輪側ディスクブレーキ６は、ブレーキペダル９の操作等に基づいて発生する液圧（ブレーキ液圧）によりピストン６Ａを推進させ、ブレーキパッドでディスクロータ４を押圧することにより、車輪（後輪３）延いては車両に制動力を付与する。これに加えて、後輪側ディスクブレーキ６は、後述するように、駐車ブレーキスイッチ３１からの信号等に基づく作動要求に応じて、電動モータ７により押圧部材保持機構８を介してピストン６Ａを推進させ、車両に制動力（駐車ブレーキないし補助ブレーキ）を付与する。
【００１４】
これに対し、左右の前輪２に対応してそれぞれ設けられた一対（一組）の前輪側ディスクブレーキ５は、駐車ブレーキの動作に関連する機構を除いて、後輪側ディスクブレーキ６とほぼ同様に構成されている。即ち、前輪側ディスクブレーキ５は、駐車ブレーキの作動、解除を行うための電動モータ７、押圧部材保持機構８等を備えていない。しかし、前輪側ディスクブレーキ５は、ブレーキペダル９の操作等に基づいて発生する液圧によりピストン６Ａを推進させ、車輪（前輪２）延いては車両に制動力を付与する点で、後輪側ディスクブレーキ６と同様である。
【００１５】
なお、前輪側ディスクブレーキ５は、後輪側ディスクブレーキ６と同様に、電動駐車ブレーキ機能付のディスクブレーキとしてもよい。また、実施形態では、電動駐車ブレーキ機構として、電動モータ７を備えた液圧式のディスクブレーキ６を用いている。しかし、これに限定されず、電動駐車ブレーキ機構は、例えば、電動キャリパを備えた電動式ディスクブレーキ、電動モータによりシューをドラムに押付けて制動力を付与する電動式ドラムブレーキ、電動ドラム式の駐車ブレーキを備えたディスクブレーキ、電動モータでケーブルを引っ張ることにより駐車ブレーキをアプライ作動させる構成等を用いてもよい。即ち、電動駐車ブレーキ機構は、電動モータ（電動アクチューエータ）の駆動に基づいて摩擦部材（パッド、シュー）を回転部材（ロータ、ドラム）に押圧（推進）し、その押圧力の保持と解除とを行うことができる構成であれば、各種の電動ブレーキ機構を用いることができる。
【００１６】
車体１のフロントボード側には、ブレーキペダル９が設けられている。ブレーキペダル９は、車両のブレーキ操作時に運転者によって踏込み操作され、この操作に基づいて各ディスクブレーキ５，６は、常用ブレーキ（サービスブレーキ）としての制動力の付与および解除が行われる。ブレーキペダル９には、ブレーキランプスイッチ、ペダルスイッチ、ペダルストロークセンサ等のブレーキ操作検出センサ（ブレーキセンサ）１０が設けられている。
【００１７】
ブレーキ操作検出センサ１０は、ブレーキペダル９の踏込み操作の有無、または、その操作量を検出し、その検出信号を液圧供給装置用コントロールユニット１７に出力する。ブレーキ操作検出センサ１０の検出信号は、例えば、車両データバス２０、または、液圧供給装置用コントロールユニット１７と駐車ブレーキ制御装置７１とを接続する信号線（図示せず）を介して伝送される（駐車ブレーキ制御装置７１に出力される）。
【００１８】
ブレーキペダル９の踏込み操作は、倍力装置１１を介して、油圧源として機能するマスタシリンダ１２に伝達される。倍力装置１１は、ブレーキペダル９とマスタシリンダ１２との間に設けられた負圧ブースタまたは電動ブースタとして構成され、ブレーキペダル９の踏込み操作時に踏力を増力してマスタシリンダ１２に伝える。
【００１９】
このとき、マスタシリンダ１２は、マスタリザーバ１３から供給されるブレーキ液により液圧を発生させる。マスタリザーバ１３は、ブレーキ液が収容された作動液タンクにより構成されている。ブレーキペダル９により液圧を発生する機構は、上記の構成に限られるものではなく、ブレーキペダル９の操作に応じて液圧を発生する機構、例えば、ブレーキバイワイヤ方式の機構等であってもよい。
【００２０】
マスタシリンダ１２内に発生した液圧は、例えば一対のシリンダ側液圧配管１４Ａ，１４Ｂを介して、液圧供給装置１５（以下、ＥＳＣ１５という）に送られる。ＥＳＣ１５は、各ディスクブレーキ５，６とマスタシリンダ１２との間に配置され、マスタシリンダ１２からの液圧をブレーキ側配管部１６Ａ，１６Ｂ，１６Ｃ，１６Ｄを介して各ディスクブレーキ５，６に分配する。これにより、車輪（各前輪２、各後輪３）のそれぞれに対して相互に独立して制動力を付与する。この場合、ＥＳＣ１５は、ブレーキペダル９の操作量に従わない態様でも、各ディスクブレーキ５，６に液圧を供給すること、即ち、各ディスクブレーキ５，６の液圧を高めることができる。
【００２１】
このために、ＥＳＣ１５は、例えばマイクロコンピュータ等によって構成される専用の制御装置、即ち、液圧供給装置用コントロールユニット１７（以下、コントロールユニット１７という）を有している。コントロールユニット１７は、ＥＳＣ１５の各制御弁（図示せず）を開，閉したり、液圧ポンプ用の電動モータ（図示せず）を回転，停止させたりする駆動制御を行うことにより、ブレーキ側配管部１６Ａ〜１６Ｄから各ディスクブレーキ５，６に供給されるブレーキ液圧を増圧、減圧または保持する制御を行う。これにより、種々のブレーキ制御、例えば、倍力制御、制動力分配制御、ブレーキアシスト制御、アンチロックブレーキ制御（ＡＢＳ）、トラクション制御、車両安定化制御（横滑り防止を含む）、坂道発進補助制御、自動運転制御等が実行される。
【００２２】
コントロールユニット１７には、車両電源となるバッテリ１８からの電力が、電源ライン１９を通じて給電される。図１に示すように、コントロールユニット１７は、車両データバス２０に接続されている。なお、ＥＳＣ１５の代わりに、公知のＡＢＳユニットを用いることも可能である。さらに、ＥＳＣ１５を設けずに（即ち、省略し）、マスタシリンダ１２とブレーキ側配管部１６Ａ〜１６Ｄとを直接的に接続することも可能である。
【００２３】
車両データバス２０は、車体１に搭載されたシリアル通信部としてのＣＡＮ（Controller Area Network）を構成している。車両データバス２０は、車両に搭載された多数の電子機器（例えば、各種のＥＣＵ）、コントロールユニット１７および駐車ブレーキ制御装置７１等との間で車両内での多重通信を行う。この場合、車両データバス２０に送られる車両情報としては、例えば、ブレーキ操作検出センサ１０、マスタシリンダ液圧（ブレーキ液圧）を検出する圧力センサ２１、イグニッションスイッチ、シートベルトセンサ、ドアロックセンサ、ドア開センサ、着座センサ、車速センサ、操舵角センサ、アクセルセンサ（アクセル操作センサ）、スロットルセンサ、エンジン回転センサ、ステレオカメラ、ミリ波レーダ、勾配センサ、シフトセンサ、加速度センサ、車輪速センサ、車両のピッチ方向の動きを検知するピッチセンサ等からの検出信号による情報（車両情報）が挙げられる。さらに、後述するように、車両状態に対応する車両モード（車両制御モード）の情報（現在の車両モードが通常モード、メンテナンスモード、車検モード、テストモードの何れであるかの情報）を、車両データバス２０を介して取得することができる。
【００２４】
次に、駐車ブレーキスイッチ３１および駐車ブレーキ制御装置７１について説明する。
【００２５】
車体１内には、運転席（図示せず）の近傍となる位置に、操作スイッチとしての駐車ブレーキスイッチ（ＰＫＢＳＷ）３１が設けられている。駐車ブレーキスイッチ３１は、運転者によって操作される操作指示部となるものである。駐車ブレーキスイッチ３１は、運転者の操作指示に応じた駐車ブレーキの作動要求（保持要求となるアプライ要求、解除要求となるリリース要求）に対応する信号（作動要求信号）を、駐車ブレーキ制御装置７１へ伝達する。即ち、駐車ブレーキスイッチ３１は、電動モータ７の駆動（回転）に基づいてピストン６Ａ延いてはブレーキパッドをアプライ作動（保持作動）またはリリース作動（解除作動）させるための作動要求信号（保持要求信号となるアプライ要求信号、解除要求信号となるリリース要求信号）を、コントロールユニット（コントローラ）となる駐車ブレーキ制御装置７１に出力する。
【００２６】
運転者により駐車ブレーキスイッチ３１が制動側（アプライ側）に操作されたとき、即ち、車両に制動力を付与するためのアプライ要求（保持要求、駆動要求）があったときは、駐車ブレーキスイッチ３１からアプライ要求信号が出力される。この場合は、後輪側ディスクブレーキ６の電動モータ７に、該電動モータ７を制動側に回転させるための電力が、駐車ブレーキ制御装置７１を介して給電される。このとき、押圧部材保持機構８は、電動モータ７の回転に基づいてピストン６Ａをディスクロータ４側に推進（押圧）し、推進したピストン６Ａを保持する。これにより、後輪側ディスクブレーキ６は、駐車ブレーキ（ないし補助ブレーキ）としての制動力が付与された状態、即ち、アプライ状態（保持状態）となる。
【００２７】
一方、運転者により駐車ブレーキスイッチ３１が制動解除側（リリース側）に操作されたとき、即ち、車両の制動力を解除するためのリリース要求（解除要求）があったときは、駐車ブレーキスイッチ３１からリリース要求信号が出力される。この場合は、後輪側ディスクブレーキ６の電動モータ７に、該電動モータ７を制動側とは逆方向に回転させるための電力が、駐車ブレーキ制御装置７１を介して給電される。このとき、押圧部材保持機構８は、電動モータ７の回転によりピストン６Ａの保持を解除する（ピストン６Ａによる押圧力を解除する）。これにより、後輪側ディスクブレーキ６は、駐車ブレーキ（ないし補助ブレーキ）としての制動力の付与が解除された状態、即ち、リリース状態（解除状態）となる。
【００２８】
駐車ブレーキは、例えば車両が所定時間停止したとき（例えば、走行中に減速に伴って、車速センサの検出速度が４ｋｍ／ｈ未満の状態が所定時間継続したときに停止と判断）、エンジンが停止したとき、シフトレバーをＰに操作したとき、ドアが開いたとき、シートベルトが解除されたとき等、駐車ブレーキ制御装置７１での駐車ブレーキのアプライ判断ロジックによる自動的なアプライ要求に基づいて、自動的に付与（オートアプライ）する構成とすることができる。また、駐車ブレーキは、例えば車両が走行したとき（例えば、停車から増速に伴って、車速センサの検出速度が５ｋｍ／ｈ以上の状態が所定時間継続したときに走行と判断）、アクセルペダルが操作されたとき、クラッチペダルが操作されたとき、シフトレバーがＰ、Ｎ以外に操作されたとき等、駐車ブレーキ制御装置７１での駐車ブレーキのリリース判断ロジックによる自動的なリリース要求に基づいて、自動的に解除（オートリリース）する構成とすることができる。オートアプライ、オートリリースは、駐車ブレーキスイッチ３１が故障したときに、自動的に制動力の付与または解除を行うスイッチ故障時補助機能として構成することができる。
【００２９】
さらに、車両の走行時に駐車ブレーキスイッチ３１によるアプライ要求があった場合、より具体的には、走行中に緊急的に駐車ブレーキを補助ブレーキとして用いる等の動的駐車ブレーキ（動的アプライ）の要求があった場合も、駐車ブレーキ制御装置７１は、駐車ブレーキスイッチ３１の操作に応じて制動力の付与と解除を行う。例えば、駐車ブレーキ制御装置７１は、駐車ブレーキスイッチ３１が制動側に操作されている間（制動側への操作が継続している間）制動力を付与し、その操作が終了すると制動力の付与を解除する。このとき、駐車ブレーキ制御装置７１は、車輪（各後輪３）の状態、即ち、車輪がロック（スリップ）しているか否かに応じて、自動的に制動力の付与と解除（ＡＢＳ制御）とを行う構成とすることができる。
【００３０】
駐車ブレーキ制御装置７１は、左右一対の後輪側ディスクブレーキ６，６と共に電動ブレーキシステム（電動駐車ブレーキシステム）を構成している。駐車ブレーキ制御装置７１には、バッテリ１８からの電力が電源ライン１９を通じて給電される。駐車ブレーキ制御装置７１は、後輪側ディスクブレーキ６，６の電動モータ７，７を制御し、車両の駐車、停車時（必要に応じて走行時）に制動力（駐車ブレーキ、補助ブレーキ）を発生させる。即ち、駐車ブレーキ制御装置７１は、左右の電動モータ７，７を駆動することにより、ディスクブレーキ６，６を駐車ブレーキ（必要に応じて補助ブレーキ）として作動（アプライ・リリース）させる。
【００３１】
このために、駐車ブレーキ制御装置７１は、入力側が駐車ブレーキスイッチ３１に接続され、出力側は各ディスクブレーキ６，６の電動モータ７，７に接続されている。駐車ブレーキ制御装置７１は、運転者の駐車ブレーキスイッチ３１の操作による作動要求（アプライ要求、リリース要求）、駐車ブレーキのアプライ・リリースの判断ロジックによる作動要求、ＡＢＳ制御による作動要求に基づいて、左右の電動モータ７，７を駆動し、左右のディスクブレーキ６，６のアプライ（保持）またはリリース（解除）を行う。
【００３２】
このとき、後輪側ディスクブレーキ６では、各電動モータ７の駆動に基づいて、押圧部材保持機構８によるピストン６Ａおよびブレーキパッドの保持または解除が行われる。このように、駐車ブレーキ制御装置７１は、ピストン６Ａ（延いてはブレーキパッド）の保持作動（アプライ）または解除作動（リリース）のための作動要求信号に応じて、ピストン６Ａ（延いてはブレーキパッド）を推進するべく電動モータ７を駆動制御する。
【００３３】
駐車ブレーキ制御装置７１には、駐車ブレーキスイッチ３１に加え、車両データバス２０が接続されている。車両データバス２０からは、駐車ブレーキの制御（作動）に必要な車両の各種状態量、即ち、各種車両情報を取得することができる。なお、車両データバス２０から取得する車両情報は、その情報を検出するセンサを駐車ブレーキ制御装置７１に直接接続することにより取得する構成としてもよい。
【００３４】
また、駐車ブレーキ制御装置７１は、車両データバス２０に接続された他の制御装置（例えばコントロールユニット１７）から前述の判断ロジックやＡＢＳ制御に基づく作動要求が入力されるように構成してもよい。この場合は、前述の判断ロジックによる駐車ブレーキのアプライ・リリースの判定やＡＢＳの制御を、駐車ブレーキ制御装置７１に代えて、他の制御装置、例えばコントロールユニット１７で行う構成とすることができる。即ち、コントロールユニット１７に駐車ブレーキ制御装置７１の制御内容を統合することが可能である。
【００３５】
駐車ブレーキ制御装置７１は、例えばフラッシュメモリ、ＲＯＭ、ＲＡＭ、ＥＥＰＲＯＭ等からなる記憶部としてのメモリ７１Ａを備えている。メモリ７１Ａには、前述の駐車ブレーキのアプライ・リリースの判断ロジックやＡＢＳの制御のプログラムが格納されている。これに加え、メモリ７１Ａには、後述の図５に示す処理フローを実行するための処理プログラム、即ち、駐車ブレーキスイッチ３１のスイッチ故障を報知するための処理プログラムが格納されている。また、メモリ７１Ａには、後述の図６に示す駐車ブレーキスイッチ３１の操作判定表、即ち、正常時（通常時）および故障時（断線時）における駐車ブレーキスイッチ３１の操作態様と駐車ブレーキスイッチ３１から出力される電圧との関係の一覧表（に対応する情報）が格納されている。また、メモリ７１Ａには、後輪側ディスクブレーキ６のステータス情報、即ち、後輪側ディスクブレーキ６がアプライ状態であるかリリース状態であるかが、その状態（ステータス）が変更となる毎に記憶される。
【００３６】
さらに、駐車ブレーキ制御装置７１は、運転席の近傍に設けられた警告灯８１、作動灯８２およびスイッチ操作灯８３と接続している。これら警告灯８１、作動灯８２およびスイッチ操作灯８３については、後で説明する。
【００３７】
なお、実施形態では、駐車ブレーキ制御装置７１をＥＳＣ１５のコントロールユニット１７と別体としたが、駐車ブレーキ制御装置７１をコントロールユニット１７と一体に構成してもよい。また、駐車ブレーキ制御装置７１は、左右で２つの後輪側ディスクブレーキ６，６を制御するようにしているが、左右の後輪側ディスクブレーキ６，６毎に設けるようにしてもよく、この場合には、それぞれの駐車ブレーキ制御装置７１を後輪側ディスクブレーキ６に一体的に設けることもできる。
【００３８】
実施形態による４輪自動車のブレーキ装置（ブレーキシステム）は、上述の如き構成を有するもので、次に、その作動について説明する。
【００３９】
車両の運転者がブレーキペダル９を踏込み操作すると、その踏力が倍力装置１１を介してマスタシリンダ１２に伝達され、マスタシリンダ１２によってブレーキ液圧が発生する。マスタシリンダ１２内で発生したブレーキ液圧は、シリンダ側液圧配管１４Ａ，１４Ｂ、ＥＳＣ１５およびブレーキ側配管部１６Ａ，１６Ｂ，１６Ｃ，１６Ｄを介して各ディスクブレーキ５，６に分配され、左右の前輪２と左右の後輪３とにそれぞれ制動力が付与される。
【００４０】
この場合、各ディスクブレーキ５，６では、キャリパ６Ｂ内のブレーキ液圧の上昇に従ってピストン６Ａがブレーキパッドに向けて摺動的に変位し、ブレーキパッドがディスクロータ４に押し付けられる。これにより、ブレーキ液圧に基づく制動力が付与される。一方、ブレーキ操作が解除されたときには、キャリパ６Ｂ内へのブレーキ液圧の供給が停止されることにより、ピストン６Ａがディスクロータ４から離れる（後退する）ように変位する。これによって、ブレーキパッドがディスクロータ４から離間し、車両は非制動状態に戻される。
【００４１】
次に、車両の運転者が駐車ブレーキスイッチ３１を制動側（アプライ側）に操作したときは、駐車ブレーキ制御装置７１から後輪側ディスクブレーキ６の電動モータ７に給電が行われ、電動モータ７が回転駆動される。後輪側ディスクブレーキ６では、電動モータ７の回転運動が押圧部材保持機構８により直線運動に変換され、ピストン６Ａが推進する。これにより、ブレーキパッドによりディスクロータ４が押圧される。このとき、押圧部材保持機構８は、例えば、螺合による摩擦力（保持力）により制動状態を保持し、後輪側ディスクブレーキ６は、駐車ブレーキとして作動（アプライ）される。即ち、電動モータ７への給電を停止した後にも、押圧部材保持機構８により、ピストン６Ａは制動位置に保持される。
【００４２】
一方、運転者が駐車ブレーキスイッチ３１を制動解除側（リリース側）に操作したときには、駐車ブレーキ制御装置７１から電動モータ７に対してモータが逆転するように給電され、電動モータ７が駐車ブレーキの作動時（アプライ時）と逆方向に回転される。このとき、押圧部材保持機構８による制動力の保持が解除され、ピストン６Ａがディスクロータ４から離れる（退避する）方向に変位することが可能になる。これにより、後輪側ディスクブレーキ６は、駐車ブレーキとしての作動が解除（リリース）される。
【００４３】
次に、駐車ブレーキスイッチ３１について、図１に加え、図２、図３、図４および図６も参照しつつ説明する。
【００４４】
駐車ブレーキスイッチ３１は、電動駐車ブレーキ機構としての後輪側ディスクブレーキ６の動作を指示する操作スイッチである。具体的には、駐車ブレーキスイッチ３１は、電動駐車ブレーキ機構の動作として、不操作態様、制動作動態様、および、制動解除態様を指示するものである。駐車ブレーキスイッチ３１は、運転者が操作する操作部３２と、操作部３２の操作が入力される入力装置３３とを含んで構成されている。
【００４５】
駐車ブレーキスイッチ３１の操作部３２は、作動指示側操作部３２Ａと、解除指示側操作部３２Ｂとを備えている。運転者が操作部３２を操作していないときは、図２に示す不操作態様の状態が維持される。駐車ブレーキをアプライ（保持）する場合（リリース状態からアプライ状態にする場合）、運転者は、作動指示側操作部３２Ａを指で押し（押し下げ）、操作部３２を、図２に示す不操作態様から図３に示す制動作動態様に操作する。運転者が作動指示側操作部３２Ａから指を離すと、操作部３２は、図示しないばね等の弾性力に基づいて、図２に示す不操作態様の位置に戻る。
【００４６】
一方、駐車ブレーキをリリース（解除）する場合（アプライ状態からリリース状態にする場合）、運転者は、解除指示側操作部３２Ｂを指で押し（押し下げ）、操作部３２を、図２に示す不操作態様から図４に示す解除作動態様に操作する。運転者が解除指示側操作部３２Ｂから指を離すと、操作部３２は、図示しないばね等の弾性力に基づいて、図２に示す不操作態様の位置に戻る。なお、操作部３２の構成は、図示の構成に限らず、例えば、駐車ブレーキをアプライするときに作動指示側操作部を指で引き、駐車ブレーキをリリースするときに作動指示側操作部を指で押す構成としてもよい。即ち、駐車ブレーキスイッチの操作部の構成は、車両の仕様、取付位置、操作性等に応じて各種の構成を採用することができる。
【００４７】
駐車ブレーキスイッチ３１の入力装置３３は、２つの入力端子３４，３５と、２つの出力端子３８，３９と、４つの抵抗配線４６，４７，４８，４９と、２つで一体の第１の切換子５４，５５と、２つで一体の第２の切換子５８，５９とを有している。
【００４８】
２つの入力端子３４，３５には、それぞれ車両電源となるバッテリ１８が電源ライン１９および図示しない電源変換回路を介して接続されている。この場合、各入力端子３４，３５には、互いに異なる電圧が供給される。具体的には、図面に「Ｐ１」を付した一方の入力端子３４（以下、第１の入力端子３４という）には、２本の入力線３６，３７のうちの一方の入力線３６（以下、第１の入力線３６という）を介して、入力電圧Ｖ１が入力される。図面に「Ｐ２」を付した他方の入力端子３５（以下、第２の入力端子３５という）には、他方の入力線３７（以下、第２の入力線３７という）を介して、入力電圧Ｖ１とは異なる電圧値である入力電圧Ｖ２が入力される。この場合、例えば、Ｖ１＞Ｖ２とすることができる。
【００４９】
２つの出力端子３８，３９は、駐車ブレーキ制御装置７１（の入力検出部７２）に接続されている。２つの出力端子３８，３９は、それぞれから操作部３２の操作態様（第１の切換子５４，５５および第２の切換子５８，５９の切換え位置）に応じて異なる信号が出力される。このために、入力装置３３の内部には、後述の４つの抵抗素子５０，５１，５２，５３が配置されている。即ち、２つの出力端子３８，３９は、内部に配置された抵抗素子５０，５１，５２，５３により操作態様に応じてそれぞれ互いに異なる信号を出力する。この場合、図面に「Ｐ３」を付した一方の出力端子３８（以下、第１の出力端子３８という）は、２本の出力線４０，４１のうちの一方の出力線４０（以下、第１の出力線４０という）を介して、駐車ブレーキ制御装置７１（の入力検出部７２）に接続されている。図面に「Ｐ４」を付した他方の出力端子３９（以下、第２の出力端子３９という）は、他方の出力線４１（以下、第２の出力線４１という）を介して、駐車ブレーキ制御装置７１（の入力検出部７２）に接続されている。
【００５０】
第１の出力線４０は、第１の分岐出力線４２を介してグランドに接続されている（接地している）。第１の分岐出力線４２には、第１の出力線４０との接続部とグランドとの間に位置して抵抗素子４４が設けられている。この抵抗素子４４は、入力装置３３の外側に設けられる抵抗素子４４（以下、第１の外側抵抗素子４４という）であり、例えば、その抵抗値をＲ６としている。一方、第２の出力線４１は、第２の分岐出力線４３を介してグランドに接続されている（接地している）。第２の分岐出力線４３には、第２の出力線４１との接続部とグランドとの間に位置して抵抗素子４５が設けられている。この抵抗素子４５は、入力装置３３の外側に設けられる抵抗素子４５（以下、第２の外側抵抗素子４５という）であり、例えば、その抵抗値をＲ５としている。
【００５１】
２つの出力端子３８，３９から出力された電圧は、駐車ブレーキ制御装置７１の入力検出部７２に印加される。後述するように、駐車ブレーキ制御装置７１の判定部７３は、入力検出部７２で検出される電圧、即ち、図面の「Ｄ１」に印加される第２の出力端子３９の電圧、および、図面の「Ｄ２」に印加される第１の出力端子３８の電圧に基づいて、駐車ブレーキスイッチ３１の操作態様（操作部３２の操作態様）、および、駐車ブレーキスイッチ３１の故障（断線）を判定する。
【００５２】
４つの抵抗配線４６，４７，４８，４９は、入力端子３４，３５と出力端子３８，３９との間に設けられている。この場合、一方の入力端子３４と一方の出力端子３８との間、および、他方の入力端子３５と他方の出力端子３９との間に、それぞれ２本ずつ抵抗配線４６，４７，４８，４９が設けられている。
【００５３】
４つの抵抗配線４６，４７，４８，４９は、それぞれ抵抗素子５０，５１，５２，５３を有している。これら４つの抵抗素子５０，５１，５２，５３の抵抗値は、それぞれ異なる値となっている。即ち、第１の抵抗素子５０の抵抗値をＲ１とし、第２の抵抗素子５１の抵抗値をＲ２とし、第３の抵抗素子５２の抵抗値をＲ３とし、第４の抵抗素子５３の抵抗値をＲ４とした場合に、抵抗値Ｒ１、Ｒ２、Ｒ３、Ｒ４は、それぞれ異なる値となっている。
【００５４】
ここで、４つの抵抗配線４６，４７，４８，４９のうち、抵抗値Ｒ１の第１の抵抗素子５０を有する抵抗配線４６を、Ｒ１抵抗配線４６とする。抵抗値Ｒ２の第２の抵抗素子５１を有する抵抗配線４７を、Ｒ２抵抗配線４７とする。抵抗値Ｒ３の第３の抵抗素子５２を有する抵抗配線４８を、Ｒ３抵抗配線４８とする。抵抗値Ｒ４の第４の抵抗素子５３を有する抵抗配線４９を、Ｒ４抵抗配線４９とする。４つの抵抗配線４６，４７，４８，４９のうち、Ｒ２抵抗配線４７およびＲ４抵抗配線４９は、第２の切換子５８，５９と接続されている。これに対し、Ｒ１抵抗配線４６およびＲ３抵抗配線４８は、出力端子３８，３９に接続されている。
【００５５】
第１の切換子５４，５５は、２つの入力端子３４，３５にそれぞれ設けられ、操作部３２による動作の指示、即ち、不操作態様、制動作動態様、および、制動解除態様の指示に応じて２つの配線の接続を切り換える。具体的には、第１の切換子５４，５５は、２つの入力端子３４，３５に対して、Ｒ２抵抗配線４７およびＲ４抵抗配線４９と、Ｒ１抵抗配線４６およびＲ３抵抗配線４８とを、態様指示に応じて同時に切換える。
【００５６】
ここで、２つの第１の切換子５４，５５は、連結部５６によって一体的に接続されており、これら２つの第１の切換子５４，５５と連結部５６とにより第１の切換え部５７が構成されている。第１の切換え部５７は、操作部３２（作動指示側操作部３２Ａ）の操作に伴って切換わることにより、２つの第１の切換子５４，５５が同時に切換わる構成となっている。
【００５７】
図２に示すように、第１の切換子５４，５５は、動作指示が不操作のときに、Ｒ２抵抗配線４７およびＲ４抵抗配線４９と２つの入力端子３４，３５とを接続する。一方、図３に示すように、第１の切換子５４，５５は、動作指示が不操作でないとき、より具体的には、制動作動態様のときに、Ｒ１抵抗配線４６およびＲ３抵抗配線４８と２つの入力端子３４，３５とを接続する。
【００５８】
第２の切換子５８，５９は、Ｒ２抵抗配線４７およびＲ４抵抗配線４９に接続されている。第２の切換子５８，５９は、動作の指示に応じて、Ｒ２抵抗配線４７およびＲ４抵抗配線４９と２つの出力端子３８，３９との接続を切り換える。即ち、第２の切換子５８，５９は、Ｒ２抵抗配線４７およびＲ４抵抗配線４９に対して、それぞれ異なる２つの出力端子３８，３９に態様指示に応じて同時に切り換える。
【００５９】
ここで、２つの第２の切換子５８，５９は、連結部６０によって一体的に接続されており、これら２つの第２の切換子５８，５９と連結部６０とにより第２の切換え部６１が構成されている。第２の切換え部６１は、操作部３２（解除指示側操作部３２Ｂ）の操作に伴って切換わることにより、２つの第２の切換子５８，５９が同時に切換わる構成となっている。
【００６０】
図２に示すように、第２の切換子５８，５９は、動作指示が不操作のときに、Ｒ２抵抗配線４７およびＲ４抵抗配線４９と２つの出力端子３８，３９とを接続する。一方、図４に示すように、第２の切換子５８，５９は、動作指示が不操作でないとき、より具体的には、制動解除態様のときに、Ｒ２抵抗配線４７およびＲ４抵抗配線４９を、図２の不操作態様（および図３の制動作動態様）のときとは逆の出力端子３８，３９に接続する。
【００６１】
図２に示すように、運転者が駐車ブレーキスイッチ３１の操作部３２を操作していないとき（不操作のとき）は、第１の入力端子３４と第２の出力端子３９との間で第２の抵抗素子５１が接続され、第２の入力端子３５と第１の出力端子３８との間で第４の抵抗素子５３が接続される。一方、図３に示すように、駐車ブレーキをアプライすべく運転者が操作部３２を操作する（作動指示側操作部３２Ａを押す）と、第１の切換え部５７の第１の切換子５４，５５が一体的に切換わり、第１の入力端子３４と第１の出力端子３８との間で第１の抵抗素子５０が接続され、第２の入力端子３５と第２の出力端子３９との間で第３の抵抗素子５２が接続される。即ち、２つの第１の切換子５４，５５の切換わりに基づいて、各入力端子３４，３５と出力端子３８，３９との間で接続される抵抗が切換わる。これにより、駐車ブレーキ制御装置７１（のＤ１，Ｄ２）に入力される電圧が不操作（および解除作動）のときの電圧から変化し、駐車ブレーキ制御装置７１は、運転者の駐車ブレーキ作動要求を検出することができる。
【００６２】
これに対し、図４に示すように、駐車ブレーキをリリースすべく運転者が操作部３２を操作する（解除指示側操作部３２Ｂを押す）と、第２の切換え部６１の第２の切換子５８，５９が一体的に切換わり、第１の入力端子３４と第１の出力端子３８との間で第２の抵抗素子５１が接続され、第２の入力端子３５と第２の出力端子３９との間で第４の抵抗素子５３が接続される。即ち、２つの第２の切換子５８，５９の切換わりに基づいて、各入力端子３４，３５と出力端子３８，３９との間で接続される抵抗が切換わる。これにより、駐車ブレーキ制御装置７１（のＤ１，Ｄ２）に入力される電圧が不操作（および解除作動）のときの電圧から変化し、駐車ブレーキ制御装置７１は、運転者の駐車ブレーキ解除要求を検出することができる。
【００６３】
ここで、図６は、駐車ブレーキ制御装置７１（のＤ１，Ｄ２）に入力（印加）される電圧パターン（電圧印加パターン）、換言すれば、駐車ブレーキ制御装置７１（のＤ１，Ｄ２）で検出される電圧パターンを示している。入力電圧Ｖ１と入力電圧Ｖ２は、異なる電圧値である（Ｖ１≠Ｖ２）。そして、駐車ブレーキ制御装置７１（のＤ１，Ｄ２）に入力（印加）される電圧は、駐車ブレーキスイッチ３１の入力装置３３内で接続される抵抗素子５０，５１，５２，５３によって異なる。実際の回路においては、最終的に入力装置３３で接続される抵抗素子５０，５１，５２，５３と外側抵抗素子４４，４５との分圧比によって決定される。
【００６４】
図６では、第２の抵抗素子５１を介して第１の入力端子３４と第２の出力端子３９が接続されたときの分圧比をＡとし、第４の抵抗素子５３を介して第２の入力端子３５と第１の出力端子３８が接続されたときの分圧比をＢとし、第１の抵抗素子５０を介して第１の入力端子３４と第１の出力端子３８が接続されたときの分圧比をＣとし、第３の抵抗素子５２を介して第２の入力端子３５と第２の出力端子３９が接続されたときの分圧比をＤとする。
【００６５】
図６では、正常時の電圧パターンに加え、故障時（断線時）の電圧パターンも示している。図６中の「Ｐ１断線時」は、入力電圧Ｖ１が入力されなくなったとき、例えば、第１の入力端子３４が故障したとき、第１の入力線３６が断線したとき、第１の入力端子３４と一方の第１の切換子５４との間が断線したときの電圧に対応する。「Ｐ２断線時」は、入力電圧Ｖ２が入力されなくなったとき、例えば、第２の入力端子３５が故障したとき、第２の入力線３７が断線したとき、第２の入力端子３５と他方の第１の切換子５５との間が断線したときの電圧に対応する。「Ｐ３断線時」は、第１の出力端子３８の出力がなくなったとき、例えば、第１の出力端子３８が故障したとき、図２中の接続部Ｘ１と第１の出力端子３８との間が断線したとき、第１の出力線４０が断線したときの電圧に対応する。「Ｐ４断線時」は、第２の出力端子３９の出力がなくなったとき、例えば、第２の出力端子３９が故障したとき、図２中の接続部Ｘ２と第２の出力端子３９との間が断線したとき、第２の出力線４１が断線したときの電圧に対応する。
【００６６】
図６に示すように、正常時において、駐車ブレーキ制御装置７１（のＤ１，Ｄ２）で検出される電圧パターンは、不操作時、作動操作時、解除操作時のそれぞれで異なる。このため、駐車ブレーキ制御装置７１は、運転者の操作（要求）を検出できる。一方、断線時は、断線した側の電圧が０となる。しかし、いずれの断線時においても、駐車ブレーキ制御装置７１（のＤ１，Ｄ２）で検出される電圧パターンは、不操作時、作動操作時、解除操作時のそれぞれで異なる。このため、断線時は、断線を検出できることに加えて、運転者の操作（要求）も検出できる。
【００６７】
次に、駐車ブレーキ制御装置７１について説明する。
【００６８】
駐車ブレーキ制御装置７１は、駐車ブレーキスイッチ３１に電圧を印加して不操作、作動指示（アプライ指示）、および、解除指示（リリース指示）の操作態様を検出する。このために、駐車ブレーキ制御装置７１は、駐車ブレーキスイッチ３１の出力端子３８，３９と接続されている。
【００６９】
駐車ブレーキ制御装置７１は、入力検出部７２と、判定部７３と、警告報知部７４と、作動報知部７５と、スイッチ操作報知部７６と、信号遮断部７７と、電動モータ駆動部７８とを含んで構成されている。ここで、入力検出部７２は、駐車ブレーキスイッチ３１の出力端子３８，３９と接続されている。入力検出部７２には、出力端子３８，３９から出力される電圧が入力される。即ち、入力検出部７２は、出力端子３８，３９から出力される電圧を検出する電圧検出部となるもので、図面に「Ｄ１」および「Ｄ２」を付して示すように、２つの検出部（入力部）を備えている。入力検出部７２は、判定部７３と共に、駐車ブレーキスイッチ３１の操作の態様、即ち、不操作態様、制動作動態様、および、制動解除態様を検出する操作検出手段を構成している。このために、入力検出部７２は、判定部７３に接続されており、入力検出部７２は、出力端子３８，３９の電圧を判定部７３に出力する。
【００７０】
判定部７３は、入力検出部７２で検出された出力端子３８，３９の電圧に基づいて、駐車ブレーキスイッチ３１の操作態様と故障（断線）の判定（検出）を行う。即ち、判定部７３は、入力検出部７２で検出される電圧を常に監視（モニタ）している。判定部７３は、図８の駐車ブレーキスイッチ３１の操作判定表に基づいて、そのときの「Ｄ１」および「Ｄ２」の電圧値から、駐車ブレーキスイッチ３１の操作態様と駐車ブレーキスイッチ３１の故障（断線）の判定を行う。
【００７１】
ここで、判定部７３は、電動モータ駆動部７８と接続されている。電動モータ駆動部７８は、例えば、左右の後輪側ディスクブレーキ６，６の電動モータ７，７を駆動する駆動回路となるもので、電動モータ７，７に接続されている。電動モータ駆動部７８は、電動モータ７，７を駆動するときに、電動モータ７，７に電力を供給する。判定部７３は、図６に示す操作判定表に基づいて、駐車ブレーキスイッチ３１の操作を判定し、その判定結果（に応じた指令信号）を、電動モータ駆動部７８に出力する。電動モータ駆動部７８は、その判定結果（指令信号）に基づいて、駐車ブレーキをアプライまたはリリースすべく、電動モータ７，７を駆動する（電動モータ７，７に給電する）。
【００７２】
また、判定部７３は、駐車ブレーキスイッチ３１の故障（断線）に加え、後輪側ディスクブレーキ６，６の故障も検出できるように構成することができる。例えば、判定部７３は、電源ライン１９の電圧値、電動モータ７，７の電流値等に応じて、後輪側ディスクブレーキ６，６の故障（フェイル）、例えば、電動モータ７，７の故障、押圧部材保持機構８，８の故障を検出できるように構成してもよい。即ち、判定部７３は、駐車ブレーキスイッチ３１の故障（異常）を含む後輪側ディスクブレーキ６，６の故障（異常）を検出できるように構成してもよい。
【００７３】
さらに、後述するように、判定部７３は、入力検出部７２から検出される駐車ブレーキスイッチ３１の操作（電圧）と該駐車ブレーキスイッチ３１の操作に対する後輪側ディスクブレーキ６，６の動作とが異なるスイッチ故障（不一致故障）を検出することができる。即ち、判定部７３は、不一致故障を含む後輪側ディスクブレーキ６，６の故障を検出する故障検出手段となるものである。
【００７４】
また、判定部７３は、現在の車両モードを判定（検出）するモード判定手段（モード検出手段）を構成している。即ち、判定部７３は、車両データバス２０等を介して他のコントロールユニット（ＥＣＵ：Electronic Control Unit）から車両モードの情報を取得する。ここで、車両状態に対応する車両モードは、例えば、車両を走行させるための通常モードと該通常モード以外の他のモードとがある。他のモードは、例えば、車両の整備を行うためのメンテナンスモード、車両の検査を行うための車検モード（検査モード）、後輪側ディスクブレーキ６，６の試験（例えば、制動力テスト）を行うときのテストモード（制動力テストモード）等が挙げられる。上記他のモードとなっているときが、電動駐車ブレーキのメンテナンス時となる。
【００７５】
この場合、メンテナンスモードは、例えば、後輪側ディスクブレーキ６，６のディスクロータ４とブレーキパッドとの隙間を通常時よりも大きくし、ブレーキパッドを交換するために使用するモードである。車検モードは、例えば、整備工場等で車両の法定検査を行うときに使用するモードである。テストモードは、例えば、車両を出荷する前の車両の製造工場（組立工場）で制動力をテストするときに使用するモードである。通常モードと１ないし複数の他のモード（メンテナンスモード、車検モード、テストモード）とは、例えば、車両データバス２０等にテスターを接続することにより、または、特定のスイッチ操作等を行うことにより、切換えることができる。
【００７６】
また、判定部７３は、警告報知部７４、作動報知部７５、および、スイッチ操作報知部７６と接続されている。判定部７３は、警告報知部７４、作動報知部７５、および、スイッチ操作報知部７６に対して報知すべき旨の指令（報知指令）を出力する。
【００７７】
ここで、警告報知部７４は、後輪側ディスクブレーキ６，６の故障を報知する警告灯８１に接続されている。警告灯８１は、例えば、運転席の前方の計器パネルに設けられており、電動駐車ブレーキが故障しているときに点灯する故障表示灯（故障ランプ、警告ランプ）に相当する。従って、警告灯８１を点灯する警告報知部７４は、駐車ブレーキスイッチ３１のスイッチ故障（断線、不一致）を含む電動駐車ブレーキの故障を報知するための駐車ブレーキ故障報知手段に対応する。
【００７８】
例えば、判定部７３で、電動駐車ブレーキが故障していると判定されると、判定部７３から警告報知部７４に故障報知指令（故障報知指令）に対応する点灯指令が出力される。これにより、警告報知部７４は、警告灯８１に対して給電を行い、警告灯８１を点灯させることにより、電動駐車ブレーキが故障している旨を報知する。
【００７９】
作動報知部７５は、後輪側ディスクブレーキ６，６の作動状態を報知する作動灯８２に接続されている。作動灯８２は、例えば、運転席の前方の計器パネルに設けられており、駐車ブレーキが作動しているとき（アプライ状態のとき）に点灯する駐車ブレーキ表示灯（駐車ブレーキランプ）に相当する。従って、作動灯８２を点灯する作動報知部７５は、後輪側ディスクブレーキ６，６の作動状態を報知するための作動状態報知手段に対応する。これに加えて、作動灯８２は、駐車ブレーキスイッチ３１のスイッチ故障のときに点滅するスイッチ故障表示灯にも相当する。より具体的には、作動灯８２は、スイッチ故障のときに、車両状態が通常モードのときは駐車ブレーキスイッチ３１の操作に伴って点滅し、車両状態が通常モード以外の他のモードときは常時点滅する。従って、作動報知部７５は、作動状態報知手段に対応することに加えて、スイッチ故障を報知するためのスイッチ故障報知手段に対応する。
【００８０】
例えば、判定部７３で、駐車ブレーキが作動している（アプライ状態である）と判定されると、判定部７３から作動報知部７５に作動報知指令（駐車ブレーキ作動報知指令）に対応する点灯指令が出力される。これにより、作動報知部７５は、作動灯８２に対して給電を行い、作動灯８２を点灯させることにより、駐車ブレーキが作動している旨を報知する。一方、判定部７３で、駐車ブレーキが解除されている（リリース状態である）と判定されると、判定部７３から作動報知部７５に解除報知指令（駐車ブレーキ解除報知指令）に対応する消灯指令が出力される。これにより、作動報知部７５は、作動灯８２に対する給電を停止し、作動灯８２を消灯させることにより、駐車ブレーキが解除している旨を報知する。
【００８１】
さらに、判定部７３で、駐車ブレーキスイッチ３１のスイッチ故障と判定され、かつ、車両状態が通常モードであると判定され、さらに、駐車ブレーキスイッチ３１が操作さていると判定されると、判定部７３から作動報知部７５に通常モード時スイッチ故障報知指令に対応する点滅指令が出力される。これにより、作動報知部７５は、作動灯８２に対して点滅の給電を行い、作動灯８２を点滅させることにより、スイッチ故障である旨を報知する。一方、判定部７３で、駐車ブレーキスイッチ３１のスイッチ故障と判定され、かつ、車両状態が通常モード以外の他のモードであると判定されると、駐車ブレーキスイッチ３１の操作に拘わらず、判定部７３から作動報知部７５に他のモード時スイッチ故障報知指令に対応する点滅指令が出力される。これにより、作動報知部７５は、作動灯８２に対して点滅の給電を行い、作動灯８２を点滅させることにより、スイッチ故障である旨を報知する。
【００８２】
このように、実施形態の駐車ブレーキ制御装置７１は、車両状態が車両を走行させるための通常モードである場合にスイッチ故障が検出されるとき、第１の報知を行う。第１の報知は、警告灯８１を点灯し、かつ、駐車ブレーキスイッチ３１の操作が検出されたときに作動灯８２を点滅させる。一方、駐車ブレーキ制御装置７１は、車両状態が通常モード以外の他モード（例えば、メンテナンスモード）である場合に第１の報知とは異なる第２の報知を行う。第２の報知は、警告灯８１を点灯し、かつ、駐車ブレーキスイッチ３１の操作の検出に拘わらず（操作があっても操作がなくても）作動灯８２を点滅させる。これにより、駐車ブレーキスイッチ３１のスイッチ故障の判断を容易に行うことができる。
【００８３】
スイッチ操作報知部７６は、駐車ブレーキスイッチ３１が操作されていることを報知するスイッチ操作灯８３に接続されている。スイッチ操作灯８３は、例えば、駐車ブレーキスイッチ３１の近傍、または、駐車ブレーキスイッチ３１自身に設けられており、駐車ブレーキスイッチ３１が操作されているときに点滅するスイッチ操作表示灯（操作ランプ）に相当する。従って、スイッチ操作灯８３を点滅させるスイッチ操作報知部７６は、駐車ブレーキスイッチ３１が操作されていることを報知するためのスイッチ操作報知手段に対応する。なお、スイッチ操作灯８３は、駐車ブレーキスイッチ３１が正常のときに、駐車ブレーキスイッチ３１が操作されると、その操作がされている間、点滅し、駐車ブレーキスイッチ３１が故障のときは、駐車ブレーキスイッチ３１が操作されても点滅しない構成とすることができる。
【００８４】
例えば、判定部７３で、駐車ブレーキスイッチ３１が正常と判定され、かつ、駐車ブレーキスイッチ３１が操作さていると判定されると、判定部７３からスイッチ操作報知部７６にスイッチ操作報知指令に対応する点滅指令が出力される。これにより、スイッチ操作報知部７６は、スイッチ操作灯８３に対して点滅の給電を行い、スイッチ操作灯８３を点滅させることにより、駐車ブレーキスイッチ３１が操作されている旨を報知する。
【００８５】
さらに、判定部７３は、信号遮断部７７と接続されている。信号遮断部７７は、判定部７３の指令に基づいて、駐車ブレーキスイッチ３１の入力端子３４，３５に入力される入力電圧Ｖ１，Ｖ２を遮断するものである。判定部７３は、例えば、入力検出部７２で検出された電圧値が高い側に固定されたときに、信号遮断部７７により入力電圧Ｖ１，Ｖ２を遮断することにより、地絡を判定することができる。
【００８６】
次に、駐車ブレーキ制御装置７１の判定部７３で行われるスイッチ故障時の制御処理について、図５を参照しつつ説明する。図５の制御処理は、例えば、駐車ブレーキ制御装置７１に通電している間、所定の制御周期で、即ち、所定時間（例えば、１０ｍｓ）毎に繰り返し実行される。
【００８７】
駐車ブレーキ制御装置７１が起動することにより、図５の制御処理が開始されると、判定部７３は、Ｓ１で、スイッチ故障であるか否かを判定する。スイッチ故障であるか否かは、入力検出部７２の「Ｄ１」および「Ｄ２」に入力される電圧と図６の操作判定表とに基づいて判定することができる。Ｓ１で「ＹＥＳ」、即ち、スイッチ故障であると判定された場合は、Ｓ２に進み、警告灯８１を点灯する。即ち、判定部７３から警告報知部７４に故障報知指令に対応する点灯指令を出力し、警告報知部７４を通じて警告灯８１を点灯する。この場合、即ち、スイッチ故障であると判定された場合は、駐車ブレーキスイッチ３１の操作が検出されても電動モータ７を駆動しない。一方、Ｓ１で「ＮＯ」、即ち、スイッチ故障でないと判定された場合は、リターンする（リターンを介してスタートに戻り、Ｓ１以降の処理を繰り返す）。
【００８８】
Ｓ２で警告灯８１を点灯したら、続くＳ３で、車両状態（車両モード）が通常モードであるか否かを判定する。この判定は、車両データバス２０等から現在の車両モードの情報を取得することにより行う。Ｓ３で「ＮＯ」、即ち、通常モードでない（例えば、メンテナンスモードである）と判定された場合は、Ｓ４に進む。Ｓ４では、作動灯８２を点滅させ、リターンする。
【００８９】
一方、Ｓ３で「ＹＥＳ」、即ち、通常モードであると判定された場合は、Ｓ５に進み、駐車ブレーキスイッチ３１の操作を検出する。駐車ブレーキスイッチ３１の操作の検出は、入力検出部７２の「Ｄ１」および「Ｄ２」に入力される電圧と図６の操作判定表とに基づいて判定することができる。Ｓ５で「ＮＯ」、即ち、駐車ブレーキスイッチ３１が操作されていない（不操作）と判定された場合は、リターンする。
【００９０】
一方、Ｓ５で「ＹＥＳ」、即ち、駐車ブレーキスイッチ３１が操作されている（アプライ操作、リリース操作）と判定された場合は、Ｓ６に進む。なお、Ｓ１の処理でスイッチ故障であると判定されているため、駐車ブレーキスイッチ３１が操作されていると判定されても、電動モータ７を駆動しない。Ｓ６では、駐車ブレーキスイッチ３１の操作と該駐車ブレーキスイッチ３１の操作に対する後輪側ディスクブレーキ６，６の動作状態とが異なるか否かを判定する。即ち、後輪側ディスクブレーキ６，６の状態（アプライ状態、リリース状態）と駐車ブレーキスイッチ３１による操作要求（アプライ操作、リリース操作）とが不一致であるか否かを判定する。この判定は、駐車ブレーキスイッチ３１の操作が、駐車ブレーキ制御装置７１のメモリ７１Ａに更新可能に記憶される現在の駐車ブレーキのステータス情報（動作情報）と一致しているか不一致であるかにより行うことができる。
【００９１】
Ｓ６で「ＮＯ」、即ち、後輪側ディスクブレーキ６，６の状態と駐車ブレーキスイッチ３１の操作とが一致している場合は、リターンする。具体的には、後輪側ディスクブレーキ６，６がアプライ状態で駐車ブレーキスイッチ３１がアプライ操作された場合は、リターンする。また、後輪側ディスクブレーキ６，６がリリース状態で駐車ブレーキスイッチ３１がリリース操作された場合は、リターンする。
【００９２】
一方、Ｓ６で「ＹＥＳ」、即ち、後輪側ディスクブレーキ６，６の状態と駐車ブレーキスイッチ３１の操作とが不一致である場合は、Ｓ７に進む。具体的には、後輪側ディスクブレーキ６，６がアプライ状態で駐車ブレーキスイッチ３１がリリース操作された場合は、Ｓ７に進む。また、後輪側ディスクブレーキ６，６がリリース状態で駐車ブレーキスイッチ３１がアプライ操作された場合は、Ｓ７に進む。Ｓ７では、作動灯８２を点滅させ、リターンする。
【００９３】
かくして、実施形態では、車両状態が他のモードのときは、駐車ブレーキスイッチ３１のスイッチ故障が検出されると、通常モードのときの報知（第１の報知）とは異なる報知（第２の報知）が行われる。即ち、駐車ブレーキ制御装置７１は、通常モードでスイッチ故障が検出されたときに、警告灯８１を点灯し、かつ、駐車ブレーキスイッチ３１が操作されたときに作動灯８２を点滅させる通常モード時故障報知手段（図５のＳ１、Ｓ２、Ｓ６、Ｓ７の処理）と、他のモードでスイッチ故障が検出されたときに、警告灯８１を点灯し、かつ、駐車ブレーキスイッチ３１の操作に拘わらず作動灯８２を点滅させる他のモード時故障報知手段（図５のＳ１、Ｓ２、Ｓ３、Ｓ４の処理）とを備えている。このため、他のモードのときは、警告灯８１が点灯することに加えて、駐車ブレーキスイッチ３１の操作に拘わらず作動灯８２が点滅する。即ち、車両状態が、メンテナンスモード、車検モード、テストモードのときは、スイッチ故障が検出されると、警告灯８１が点灯すると共に作動灯８２が（常時）点滅する。
【００９４】
このため、車両の整備、検査、テスト等を行うべく、車両状態を通常モード以外の他のモードにしたときは、警告灯８１と作動灯８２を見るだけで、スイッチ故障であるか否かを判断できる。この場合、警告灯８１が点灯すると共に作動灯８２が点滅しているときは、スイッチ故障と判断できる。一方、警告灯８１が点灯しているが、作動灯８２が点滅していないときは、スイッチ故障以外の故障と判断できる。これにより、車両の整備、検査、テスト等を行う製造工場、販売店、サービス工場、整備工場等の作業者、メンテナンス員、サービス員等は、スイッチ故障の判断を容易に行うことができ、故障の修理を見落とす可能性を低減できる。
【００９５】
一方、車両状態が通常モードのときは、スイッチ故障が検出されると、警告灯８１が点灯することに加えて、駐車ブレーキスイッチ３１が操作されたときに作動灯８２が点滅する。即ち、通常モードのときは、警告灯８１が点灯しても、駐車ブレーキスイッチ３１の操作と後輪側ディスクブレーキ６，６の動作状態とが不一致でない限り、作動灯８２が点滅しない。このため、通常モードのときは、運転者に対し、作動灯８２が常時点滅することによる煩わしさを抑制できる。この結果、スイッチ故障の判断を容易に行うことと作動灯８２が常時点滅することによる煩わしさを抑制することとを両立できる。
【００９６】
なお、実施形態では、第１の報知として、警告灯８１を点灯し、かつ、駐車ブレーキスイッチ３１が操作されたときにその操作要求（アプライ指示、リリース指示）と後輪側ディスクブレーキ６，６の動作状態（アプライ状態、リリース状態）とが不一致のときに作動灯８２を点滅させる報知とした場合を例に挙げて説明した。しかし、これに限らず、例えば、第１の報知として、警告灯を点灯し、かつ、操作スイッチが操作されたときに（操作要求と電動駐車ブレーキ機構の動作状態との一致、不一致に拘わらず）作動灯を点滅させる報知としてもよい。
【００９７】
実施形態では、第１の報知として、警告灯８１を点灯し、かつ、駐車ブレーキスイッチ３１の操作に伴って作動灯８２を点滅させる報知とし、第２の報知として、警告灯８１を点灯し、かつ、駐車ブレーキスイッチ３１の操作に拘わらず作動灯８２を（常時）点滅させる報知とした場合を例に挙げて説明した。しかし、これに限らず、例えば、第１の報知として、警告灯を点灯する報知とし、第２の報知として、警告灯を点滅する報知としてもよい。即ち、通常モードのときの第１の報知と他のモードのときの第２の報知とで異なる報知であれば、各種の報知を採用することができる。
【００９８】
実施形態では、他のモードとしてメンテナンスモードと車検モードとテストモードとを備える構成、即ち、通常モードと３つの他のモードとを備える構成とした場合を例に挙げて説明した。しかし、これに限らず、例えば、通常モードと１の他のモード（例えば、メンテナンスモード）とを備える構成としてもよい。また、他のモードとして、例えば、車両が製造工場から出荷される前の出荷前モード、自動車販売店や整備工場で検査、整備、修理等を行うときのサービスモード等を備える構成としてもよい。即ち、車両を走行させるためのモード（車両の運転者が車両を使用（走行）するときのモード）を通常モードとすると、他のモードは、通常モード以外のモードに対応する。
【００９９】
実施形態では、駐車ブレーキ制御装置７１に対して、警告灯８１、作動灯８２およびスイッチ操作灯８３を直接的に接続する構成とした場合を例に挙げて説明した。しかし、これに限らず、例えば、駐車ブレーキ制御装置に対して、警告灯、作動灯およびスイッチ操作灯を、車両データバスを介して接続する等、他の信号線、電線、コントロールユニット（ＥＣＵ）、コントローラ等を介して間接的に接続してもよい。
【０１００】
実施形態では、警告灯８１を、スイッチ故障を含む電動駐車ブレーキの故障（異常）を検出したときに点灯する電動駐車ブレーキ用の警告灯とした場合を例に挙げて説明した。しかし、これに限らず、警告灯を、例えば、電動駐車ブレーキの故障を含む各種の車両機器の少なくともいずれかの故障（異常）を検知すると点灯する車両警告灯（主警告灯）としてもよい。即ち、警告灯、作動灯、スイッチ操作灯は、車両の仕様等に応じて各種の報知灯を用いることができる。また、警告灯、作動灯、スイッチ操作灯は、点灯や点滅により報知を行う電灯（ランプ）に限らず、モニタに表示することによる報知、音響装置（例えば、ブザーやナビゲーション装置の音声）を用いた音による報知等、様々な報知装置（表示装置、音響装置）を用いることができる。
【０１０１】
実施の形態では、駐車ブレーキスイッチ３１の入力装置３３は、４つの抵抗素子（第１の抵抗素子５０、第２の抵抗素子５１、第３の抵抗素子５２、第４の抵抗素子５３）を備える構成とした場合を例に挙げて説明した。しかし、これに限らず、例えば、第２の抵抗素子と第４の抵抗素子のみを残し、第１の抵抗素子と第３の抵抗素子を省略してもよい。また、第１の抵抗素子と第３の抵抗素子のみを残し、第２の抵抗素子と第４の抵抗素子を省略してもよい。また、第２の抵抗素子と第３の抵抗素子のみを残し、第１の抵抗素子と第４の抵抗素子を省略してもよい。また、第１の抵抗素子と第４の抵抗素子のみを残し、第２の抵抗素子と第３の抵抗素子を省略してもよい。即ち、一対の２つの配線（一の配線となる第１の抵抗配線と他の配線となる第２の抵抗配線）のうち、少なくとも一の配線または他の配線のいずれかに、それぞれ互いに異なる値の抵抗（抵抗素子）を設ける構成とすることができる。さらに、実施形態の入力端子３４，３５と出力端子３８，３９とを逆としてもよい（実施形態の入力端子３４，３５を出力端子とし、実施形態の出力端子３８，３９を入力端子としてもよい）。
【０１０２】
実施の形態では、駐車ブレーキスイッチ３１の入力装置３３は、４つの抵抗素子５０，５１，５２，５３を備える構成とし、かつ、駐車ブレーキ制御装置７１の判定部７３は、入力検出部７２で検出される電圧に基づいて、駐車ブレーキスイッチ３１の操作態様、および、駐車ブレーキスイッチ３１の故障（断線）を判定（検出）する構成とした場合を例に挙げて説明した。しかし、これに限らず、操作スイッチの操作とスイッチ故障とを駐車ブレーキ制御装置で検出することができる構成であれば、各種の構成を採用することができる。
【０１０３】
実施形態では、左右の後輪側ブレーキ６を電動駐車ブレーキ機能付のディスクブレーキとした場合を例に挙げて説明した。しかし、これに限らず、左右の前輪側ブレーキを電動駐車ブレーキ機能付のディスクブレーキとしてもよい。また、前輪と後輪の全ての車輪（４輪全て）のブレーキを電動駐車ブレーキ機能付のディスクブレーキにより構成してもよい。即ち、車両の少なくとも一対の車輪のブレーキを、電動駐車ブレーキ機能付のディスクブレーキにより構成することができる。
【０１０４】
実施形態では、電動駐車ブレーキ機構として、電動駐車ブレーキ付の液圧式ディスクブレーキ６を例に挙げて説明した。しかし、これに限らず、液圧の供給が不要な電動式ディスクブレーキにより構成してもよい。また、ディスクブレーキ式のブレーキ機構に限らず、ドラムブレーキ式のブレーキ機構として構成してもよい。さらに、ディスクブレーキにドラム式の電動駐車ブレーキを設けたドラムインディスクブレーキ、電動モータでケーブルを引っ張ることにより駐車ブレーキの保持を行う構成等、ブレーキ機構は各種のものを採用することができる。この場合に、例えば、液圧の供給が不要な電動式のブレーキ機構を採用した場合は、ブレーキ制御装置は、車両に制動力を常用ブレーキとして与える（ブレーキペダルの操作等によるアプライ要求に基づいて電動モータを駆動する）構成とすることができる。
【０１０５】
以上の実施形態によれば、通常モードと他のモードとで異なる報知を行うため、製造工場や整備工場等において、メンテナンス時に作業者の作業を増やすことなく、操作スイッチの故障の判断を行うことができる。
【０１０６】
即ち、実施形態によれば、車両状態が他のモード（車両を走行させるための通常モード以外のモード）のときは、操作スイッチの故障が検出されると、通常モードのときの報知（第１の報知）とは異なる報知（第２の報知）が行われる。具体的には、他のモードのときは、警告灯が点灯することに加えて、操作スイッチの操作の検出に拘わらず作動灯が点滅する。即ち、車両状態が、整備を行うときに選択されるメンテナンスモード、検査を行うときに選択される車検モード、駐車ブレーキ機構の試験（例えば、制動力テスト）を行うときのテストモード等のときは、操作スイッチの故障が検出されると、警告灯が点灯すると共に作動灯が点滅する。
【０１０７】
このため、車両の整備、検査、テスト等を行うべく、車両状態を通常モード以外の他のモードにしたときは、警告灯と作動灯を見るだけで、操作スイッチが故障しているか否かを判断できる。この場合、警告灯が点灯すると共に作動灯が点滅しているときは、操作スイッチの故障と判断できる。一方、警告灯が点灯しているが、作動灯が点滅していないときは、操作スイッチの故障以外の故障と判断できる。これにより、操作スイッチの故障の判断を行うことができる。
【０１０８】
一方、車両状態が通常モードのときは、操作スイッチの故障が検出されると、警告灯が点灯することに加えて、操作スイッチの操作が検出されたときに作動灯が点滅する。即ち、通常モードのときは、警告灯が点灯しても、操作スイッチが操作されない限り、作動灯が点滅しない。このため、通常モードのときは、例えば、作動灯が常時点滅することによる煩わしさを抑制できる。この結果、操作スイッチの故障の判断を容易に行うことと作動灯が常時点滅することによる煩わしさを抑制することとを両立できる。
【符号の説明】
【０１０９】
６  後輪側ディスクブレーキ（電動駐車ブレーキ機構）
３１  駐車ブレーキスイッチ（操作スイッチ）
７１  駐車ブレーキ制御装置
７２  入力検出部（操作検出手段）
７３  判定部（操作検出手段、故障検出手段）
８１  警告灯
８２  作動灯
【図１】
0006626365.tif 000002
【図２】
0006626365.tif 000003
【図３】
0006626365.tif 000004
【図４】
0006626365.tif 000005
【図５】
0006626365.tif 000006
【図６】
0006626365.tif 000007